【手続補正書】
【提出日】平成22年9月28日(2010.9.28)
【手続補正１】
【補正対象書類名】特許請求の範囲
【補正対象項目名】全文
【補正方法】変更
【補正の内容】
【特許請求の範囲】
【請求項１】
ディスプレイスクリーンであって、
各々が励起波長の励起光を吸収して、前記励起波長とは異なる可視波長の可視光を発光する複数の平行且つ独立した発光ストライプを有する発光層と、
前記発光層の一面側にあって前記励起光を前記発光層に方向付ける、レンズの２次元アレイを有するレンズアレイ層と、
前記レンズアレイ層と前記発光層との間にあり、不透明な反射層を有するピンホールアレイ層と、を備え、
前記レンズの各々が、各発光ストライプの幅より小さく、前記各発光ストライプの幅内には複数のレンズがあり、
前記不透明な反射層は、前記レンズアレイ層に重畳され、前記複数のレンズに空間的に対応する複数のピンホールの２次元アレイでそれぞれパターニングされることで前記複数のレンズから前記発光層へと励起光を透過させる
ディスプレイスクリーン。
【請求項２】
前記ピンホールアレイ層は、前記励起光の各レンズの焦平面またはその付近にある請求項１に記載のディスプレイスクリーン。
【請求項３】
各ピンホールの大きさは、各々のレンズが前記ピンホールアレイ層へと合焦する前記励起光のビームスポットより大きい請求項２に記載のディスプレイスクリーン。
【請求項４】
前記反射層は金属層である
請求項１から３の何れか１項に記載のディスプレイスクリーン。
【請求項５】
前記レンズアレイ層の各レンズは、６角形であり、６つの隣接するレンズと接触している請求項１から４の何れか１項に記載のディスプレイスクリーン。
【請求項６】
前記レンズアレイ層と前記ピンホールアレイ層との間にあり、パターニングされることで、前記ピンホールアレイ層の前記複数のピンホールとそれぞれ位置合わせされる複数の貫通穴を有し、各レンズから対応するピンホールへと光を透過させる黒色層を備える請求項１から５の何れか１項に記載のディスプレイスクリーン。
【請求項７】
各発光ストライプは、前記励起光を吸収して可視光を発光する発光材料のストライプと、透明材料のストライプとを含み、
前記透明材料の前記ストライプは、前記発光材料の前記ストライプと前記ピンホールアレイ層との間に位置する請求項１から６の何れか１項に記載のディスプレイスクリーン。
【請求項８】
各々が２つの隣接する発光ストライプの間に配置され、前記発光ストライプに挟まれる、光学的に反射性を有する複数の平行なストライプデバイダを備える請求項１から７の何れか１項に記載のディスプレイスクリーン。
【請求項９】
各ストライプデバイダの、前記レンズアレイ層から離れているファセットに形成される黒色吸収ストライプを備える請求項８に記載のディスプレイスクリーン。
【請求項１０】
各ストライプデバイダは、前記２つの隣接する発光ストライプの各々とインタフェースする光学的に反射性を有する層を有する請求項８に記載のディスプレイスクリーン。
【請求項１１】
前記光学的に反射性を有する層は金属層である請求項１０に記載のディスプレイスクリーン。
【請求項１２】
各ストライプデバイダは、光学的に不透明性を有するコアと、前記光学的に不透明性を有するコアの、それぞれ前記２つの隣接する発光ストライプとインタフェースする両側面に形成される光学的に反射性を有する層とを有する請求項８に記載のディスプレイスクリーン。
【請求項１３】
前記光学的に反射性を有する層は金属層である請求項１２に記載のディスプレイスクリーン。
【請求項１４】
前記光学的に不透明性を有するコアは光を吸収する請求項１２に記載のディスプレイスクリーン。
【請求項１５】
前記光学的に不透明性を有するコアは黒色顔料を含む請求項１２に記載のディスプレイスクリーン。
【請求項１６】
各ストライプデバイダは、光を反射するビーズと、前記ビーズが分散したバインダ材料とを有する請求項８に記載のディスプレイスクリーン。
【請求項１７】
各ストライプデバイダは金属を有する請求項８に記載のディスプレイスクリーン。
【請求項１８】
各ストライプデバイダは、反射性を有する白色塗料材料を有する請求項８に記載のディスプレイスクリーン。
【請求項１９】
前記発光層が結合された基板を備え、
前記基板は、前記発光層が発光する可視光を透過させる
請求項１から１８の何れか１項に記載のディスプレイスクリーン。
【請求項２０】
前記基板は前記励起光を遮蔽する請求項１９に記載のディスプレイスクリーン。
【請求項２１】
前記基板は前記励起光を反射する請求項１９に記載のディスプレイスクリーン。
【請求項２２】
前記基板は前記可視光のスペクトル領域にわたり均一に前記可視光を減衰させる請求項１９に記載のディスプレイスクリーン。
【請求項２３】
前記基板はプラスチック層を有する請求項１９に記載のディスプレイスクリーン。
【請求項２４】
前記基板は前記発光層に結合される表面を有し、前記表面は前記基板と前記発光層との間に空隙を生成する表面テクスチャを含む請求項１９に記載のディスプレイスクリーン。
【請求項２５】
前記基板と前記発光層との間にあり、前記基板と前記発光層とを結合して、前記発光層が発光した前記可視光を透過させる結合層を備える請求項１９に記載のディスプレイスクリーン。
【請求項２６】
前記可視光を透過させて、前記励起光を遮蔽する選択的遮蔽層を備え、
前記発光層は前記選択的遮蔽層と前記レンズアレイ層との間に位置する請求項１から２５の何れか１項に記載のディスプレイスクリーン。
【請求項２７】
前記可視光を減衰させる光学減光フィルタ層を備え、
前記発光層は前記光学減光フィルタ層と前記レンズアレイ層との間に位置する請求項１から２６の何れか１項に記載のディスプレイスクリーン。
【請求項２８】
２つの隣接する発光ストライプは、前記励起光を吸収するときに異なる色の可視光を発光する請求項１から２７の何れか１項に記載のディスプレイスクリーン。
【請求項２９】
各々が励起波長の励起光を吸収して、前記励起波長とは異なる可視波長の可視光を発光する複数の平行且つ独立した発光ストライプと、各々が２つの隣接する発光ストライプの間に配置され、前記発光ストライプに挟まれる、光学的に反射性を有する複数の平行なストライプデバイダとを有する発光層と、
前記発光層の上に形成され、前記励起光を受光し透過させて、前記発光層が発光した前記可視光を反射する二色性層と、
前記励起光を前記二色性層に方向付けるよう配置されたフレネルレンズ層と
を備え、
前記二色性層は、前記フレネルレンズ層と前記発光層との間にあるディスプレイスクリーン。
【請求項３０】
各発光ストライプは、前記励起光を吸収して可視光を発光する発光材料のストライプと、透明材料のストライプとを含み、
前記透明材料の前記ストライプは、前記発光材料の前記ストライプと前記二色性層との間に位置する請求項２９に記載のディスプレイスクリーン。
【請求項３１】
各ストライプデバイダの、前記二色性層から離れているファセットに形成される黒色吸収ストライプを備える請求項２９または３０に記載のディスプレイスクリーン。
【請求項３２】
各ストライプデバイダは、前記２つの隣接する発光ストライプの各々とインタフェースする光学的に反射性を有する層を有する請求項２９から３１の何れか１項に記載のディスプレイスクリーン。
【請求項３３】
各ストライプデバイダは、光学的に不透明性を有するコアと、前記光学的に不透明性を有するコアの、それぞれ前記２つの隣接する発光ストライプとインタフェースする両側面に形成される光学的に反射性を有する層とを有する請求項２９から３２の何れか１項に記載のディスプレイスクリーン。
【請求項３４】
前記光学的に不透明性を有するコアは光を吸収する請求項３３に記載のディスプレイスクリーン。
【請求項３５】
各ストライプデバイダは、光を反射するビーズと、前記ビーズが分散したバインダ材料とを有する請求項２９から３４の何れか１項に記載のディスプレイスクリーン。
【請求項３６】
各ストライプデバイダは金属を有する請求項２９から３５の何れか１項に記載のディスプレイスクリーン。
【請求項３７】
各ストライプデバイダは、反射性を有する白色塗料材料を有する請求項２９から３６の何れか１項に記載のディスプレイスクリーン。
【請求項３８】
前記発光層が結合された基板を備え、
前記基板は、前記発光層が発光する可視光を透過させる請求項２９から３７の何れか１項に記載のディスプレイスクリーン。
【請求項３９】
前記基板は前記励起光を遮蔽する請求項３８に記載のディスプレイスクリーン。
【請求項４０】
前記基板は前記励起光を反射する請求項３８に記載のディスプレイスクリーン。
【請求項４１】
前記基板は前記可視光のスペクトル領域にわたり均一に前記可視光を減衰させる請求項３８に記載のディスプレイスクリーン。
【請求項４２】
前記基板はプラスチック層を有する請求項３８に記載のディスプレイスクリーン。
【請求項４３】
前記基板は前記発光層に結合される表面を有し、前記表面は前記基板と前記発光層との間に空隙を生成する表面テクスチャを含む請求項３８に記載のディスプレイスクリーン。
【請求項４４】
前記基板と前記発光層との間にあり、前記基板と前記発光層とを結合して、前記発光層が発光した前記可視光を透過させる結合層を備える請求項３８に記載のディスプレイスクリーン。
【請求項４５】
前記可視光を透過させて、前記励起光を遮蔽する選択的遮蔽層を備え、
前記発光層は前記選択的遮蔽層と前記二色性層との間に位置する請求項２９から４４の何れか１項に記載のディスプレイスクリーン。
【請求項４６】
前記可視光を減衰させる光学減光フィルタ層を備え、
前記発光層は前記光学減光フィルタ層と前記二色性層との間に位置する請求項２９から４５の何れか１項に記載のディスプレイスクリーン。
【請求項４７】
２つの隣接する発光ストライプは、前記励起光を吸収するときに異なる色の可視光を発光する請求項２９から４６の何れか１項に記載のディスプレイスクリーン。
【請求項４８】
各々が励起波長の励起光を吸収して、前記励起波長とは異なる可視波長の可視光を発光する複数の平行且つ独立した発光ストライプと、各々が２つの隣接する発光ストライプの間に配置され、前記発光ストライプに挟まれる、光学的に反射性を有する複数の平行なストライプデバイダとを有する発光層を備えるディスプレイスクリーン。
【請求項４９】
各発光ストライプは、前記励起光を吸収して可視光を発光する発光材料のストライプと、透明材料のストライプとを含み、
前記透明材料の前記ストライプは、前記発光材料の前記ストライプ上に形成される請求項４８に記載のディスプレイスクリーン。
【請求項５０】
各ストライプデバイダは、前記２つの隣接する発光ストライプの各々とインタフェースする光学的に反射性を有する層を有する請求項４８または４９に記載のディスプレイスクリーン。
【請求項５１】
前記光学的に反射性を有する層は金属層である請求項５０に記載のディスプレイスクリーン。
【請求項５２】
各ストライプデバイダは、光学的に不透明性を有するコアと、前記光学的に不透明性を有するコアの、それぞれ前記２つの隣接する発光ストライプとインタフェースする両側面に形成される光学的に反射性を有する層とを有する請求項４８から５１の何れか１項に記載のディスプレイスクリーン。
【請求項５３】
前記光学的に反射性を有する層は金属層である請求項５２に記載のディスプレイスクリーン。
【請求項５４】
前記光学的に不透明性を有するコアは光を吸収する請求項５２に記載のディスプレイスクリーン。
【請求項５５】
前記光学的に不透明性を有するコアは黒色顔料を含む請求項５２に記載のディスプレイスクリーン。
【請求項５６】
各ストライプデバイダは、光を反射するビーズと、前記ビーズが分散したバインダ材料とを有する請求項４８から５５の何れか１項に記載のディスプレイスクリーン。
【請求項５７】
各ストライプデバイダは金属を有する請求項４８から５６の何れか１項に記載のディスプレイスクリーン。
【請求項５８】
各ストライプデバイダは、反射性を有する白色塗料材料を有する請求項４８から５７の何れか１項に記載のディスプレイスクリーン。
【請求項５９】
２つの隣接する発光ストライプは、前記励起光を吸収するときに異なる色の可視光を発光する請求項４８から５８の何れか１項に記載のディスプレイスクリーン。
【請求項６０】
ディスプレイスクリーンを作成する方法であって、
励起波長の励起光を吸収して、前記励起波長とは異なる波長の可視光を発光する複数の発光材料をモールドの複数の平行な溝に塗布して、２つの隣接する溝が、２つの異なる波長を発光する２つの異なる発光材料で塗布されるようにする工程と、
各溝を部分的に充てんするよう、前記複数の発光材料を前記モールドに塗布する工程中に各溝の各発光材料の量を制御する工程と、
各溝の各発光材料の上部に液体材料を塗布して前記溝を充てんする工程と、
前記液体材料を、各溝の各発光材料に接着される透明固体材料に変える工程と、
前記モールド上にスクリーン層を、前記透明固体材料と接触且つ結合するよう配設する工程と、
前記スクリーン層をリフトして、前記透明固体材料と各発光材料とから形成されるストライプを前記モールドから取り出して、各々が平行な発光ストライプの発光層を形成する工程と、
ディスプレイスクリーンを形成するため１以上のさらなるスクリーン層を前記発光層に塗布する工程と
を備える方法。
【請求項６１】
前記液体材料はＵＶ硬化可能材料であり、
前記透明固体材料の形成時に前記液体材料にＵＶ光を照射することで前記液体材料を硬化させる請求項６０に記載の方法。
【請求項６２】
前記液体材料は熱硬化可能材料であり、
前記透明固体材料の形成時に前記液体材料を加熱することで前記液体材料を硬化させる請求項６０または６１に記載の方法。
【請求項６３】
各々が平行な発光ストライプの前記発光層を前記モールドからリフトして取り出した後で、金属層で前記発光ストライプを被膜して、前記発光材料および前記透明固体材料の露出面と、２つの隣接する発光ストライプ間の前記スクリーン層の上の表面とを覆う工程と、
フィラー材料を塗布して２つの隣接する発光ストライプ間の間隙を充てんする工程と、
前記フィラー材料の一部、前記発光材料の上部の前記金属層、および、前記発光材料の一部を除去して、各発光ストライプの前記発光材料を露出させる平坦な面を形成する工程と、
前記平坦な面上に別のスクリーン層を塗布する工程と
を備える請求項６０から６２の何れか１項に記載の方法。
【請求項６４】
前記発光材料の露出面上の表面テクスチャを残すよう、前記フィラー材料の前記一部と、前記発光材料の上部の前記金属層と、前記発光材料の前記一部とを除去することで、前記平坦な面に結合された前記スクリーン層と前記発光材料との間に空隙が形成される請求項６３に記載の方法。
【請求項６５】
前記フィラー材料は、光を吸収する黒色材料である請求項６３に記載の方法。
【請求項６６】
各々が平行な発光ストライプの前記発光層を前記モールドからリフトして取り出した後で、隣接する発光ストライプ間の間隙を反射材料で充てんして、前記発光材料および前記透明固体材料の露出面を被覆する工程と、
前記発光材料の上面にある前記反射材料の一部と、前記発光材料の一部とを除去して、各発光ストライプの前記発光材料を露出する平坦な面を形成する工程と、
別のスクリーン層を前記平坦な面の上に塗布する工程と
を備える請求項６０から６５の何れか１項に記載の方法。
【請求項６７】
前記発光材料の露出面上の表面テクスチャを残すよう、前記発光材料の上部の前記反射材料の前記一部と、前記発光材料の前記一部とを除去することで、前記平坦な面に結合された前記スクリーン層と前記発光材料との間に空隙が形成される請求項６６に記載の方法。
【請求項６８】
前記複数の発光材料を塗布する前に前記モールドの前記溝の内面を処理して、前記モールドからの各発光ストライプの分離を促す工程を備える請求項６０から６７の何れか１項に記載の方法。
【請求項６９】
各溝の前記内面は、ニッケルの層で被膜される請求項６８に記載の方法。
【請求項７０】
各溝の前記内面は、表面潤滑剤の層で被膜される請求項６８に記載の方法。
【請求項７１】
前記内面は、ニッケルの層で被膜される請求項６８に記載の方法。
【請求項７２】
ディスプレイスクリーンを作成する方法であって、
前記ディスプレイスクリーンの複数の平行なストライプデバイダのアレイを画定するモールドの各々が平行な溝に対して光に対して光学的に不透明なストライプデバイダ材料を塗布する工程と、
前記平行な溝の間の前記モールドの露出面と前記平行な溝の前記ストライプデバイダ材料の上面とに、ＵＶ硬化可能透明材料の透明層を塗布する工程と、
前記ストライプデバイダ材料との結合用に前記ＵＶ硬化可能透明材料を硬化させるよう前記ＵＶ硬化可能透明材料へＵＶ光を照射する工程と、
ＵＶダイシング接着層を塗布して、前記硬化した透明層に接着させる工程と、
キャリア層を前記ＵＶダイシング接着層に接着する工程と、
前記キャリア層と、前記ＵＶダイシング接着層と、前記硬化した透明層とをリフトして、前記モールドの前記平行な溝から前記硬化した透明層に接着された前記ストライプデバイダのアレイを取り外す工程と、
前記硬化した透明層の上の前記ストライプデバイダ間の溝を、励起波長の励起光を吸収して前記励起波長とは異なる波長の可視光を発光する複数の発光材料で充てんして、ストライプデバイダが分離する２つの隣接した溝が、２つの異なる波長を発光する２つの異なる発光材料で塗布されるようにする工程と、
前記複数の発光材料を塗布する工程中に各溝への各発光材料の量を制御して、各溝を部分的に充てんして前記ストライプデバイダに空間的に挟まれ分離される複数の発光ストライプを形成する工程と、
１以上のスクリーン層を前記ストライプデバイダの上部と接触且つ結合するよう配設する工程と、
前記硬化した透明層から前記ＵＶダイシング接着層および前記キャリア層を分離させるよう前記ＵＶダイシング接着層にＵＶ光を照射する工程と、
前記ストライプデバイダと前記複数の発光ストライプとから、前記硬化した透明層を除去する工程と、
前記硬化され除去された透明層の置き換えとして、励起光を受光し、前記複数の発光ストライプへと方向付ける受光層を形成する工程と
を備える方法。
【請求項７３】
前記硬化した透明層の上の前記ストライプデバイダ間の前記溝を前記複数の発光材料で充てんする前に、前記ストライプデバイダの表面の上と、２つの隣接するストライプデバイダ間の前記硬化した透明層の露出面の上とに、反射層を形成する工程を備え、
前記複数の発光材料は、前記ストライプデバイダ間の前記反射層の上に充てんされる請求項７２に記載の方法。
【請求項７４】
前記受光層は、
レンズアレイ層と、
ピンホールアレイ層とを有し、
前記レンズアレイ層は、前記励起光を前記複数の発光ストライプへ方向付け、複数のレンズの２次元アレイを含み、各レンズは各発光ストライプの幅より小さい大きさであり、各発光ストライプの前記幅内には複数のレンズがあり、
前記ピンホールアレイ層は、前記レンズアレイ層と前記複数の発光ストライプとの間にあり、不透明な反射層を有し、
前記不透明な反射層は、前記レンズアレイ層に重畳され、前記複数のレンズに空間的に対応する複数のピンホールの２次元アレイでそれぞれパターニングされることで前記複数のレンズから前記複数の発光ストライプへと励起光を透過させる請求項７２または７３に記載の方法。
【請求項７５】
前記受光層は、
二色性層と、
フレネルレンズ層とを有し、
前記二色性層は、前記複数の発光ストライプの上に形成されて、前記励起光を受光し透過させて、前記複数の発光ストライプが発光した前記可視光を反射し、
前記フレネルレンズ層は、前記励起光を前記二色性層に方向付けるよう配置され、
前記二色性層は前記フレネルレンズ層と前記複数の発光ストライプとの間にある請求項７２から７４の何れか１項に記載の方法。
【請求項７６】
ディスプレイスクリーンを作成する方法であって、
複数のレンズの２次元アレイのレンズアレイ層の平坦な面に金属層を形成する工程と、
アブレーションレーザビームを前記複数のレンズのアレイへと走査して、前記アブレーションレーザビームを、各レンズを介して前記金属層の上に合焦して、前記合焦されたアブレーションレーザビームの位置にある前記金属を除去してピンホールを形成することで、前記金属層に複数のピンホールの２次元アレイを形成する工程と、
各々が励起波長の励起光を吸収して、前記励起波長とは異なる可視波長の可視光を発光する複数の平行且つ独立した発光ストライプを有する発光層を、前記複数のピンホールの２次元アレイを有する前記金属層へ結合する工程と、
ディスプレイスクリーンを形成するため前記発光層と前記レンズアレイ層とを支持基板に結合する工程とを備え、
各レンズは、各発光ストライプの幅より小さい大きさであり、各発光ストライプの前記幅内には複数のレンズがある方法。
【請求項７７】
前記金属層の形成の前に、前記金属層と前記レンズアレイ層の前記平坦な面との間の前記アブレーションレーザビームを吸収する黒色材料層を形成する工程を備え、
前記黒色材料層は、前記アブレーションレーザビームを吸収して、前記アブレーションレーザビームが合焦された位置で除去される請求項７６に記載の方法。
【請求項７８】
前記発光ストライプは、前記励起光を吸収し、かつ前記可視光を発する量子ドットを含む請求項２９から５９の何れか１項に記載のディスプレイスクリーン。
【請求項７９】
前記発光材料は、前記励起光を吸収し、かつ前記可視光を発する量子ドットを含む請求項６０から７５の何れか１項に記載の方法。
【請求項８０】
前記発光ストライプは、前記励起光を吸収し、かつ前記可視光を発する量子ドットを含む請求項７６または７７に記載の方法。